(57)【特許請求の範囲】
【請求項１】
左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、
前記表示画面における映像の再生を制御する映像制御部と、
フレームレートの変更を受け付けるフレームレート変更部と、
を備え、
前記フレームレート変更部によって低フレームレートから高フレームレートの変更が受け付けられた場合、前記映像制御部は、左視用映像及び右視用映像のうち一方の対象フレームの映像に代えて、前記対象フレームの左視用映像と前記対象フレームの次フレームの左視用映像とに基づいて生成されたフレーム間映像、前記対象フレームの右視用映像と前記対象フレームの次フレームの右視用映像とに基づいて生成されたフレーム間映像、または前記対象フレームの左視用映像および右視用映像と前記対象フレームの次フレームの左視用映像および右視用映像とに基づいて生成されたフレーム間映像を表示する、映像再生装置。
【請求項２】
前記映像制御部は、前記フレーム間映像を生成する映像生成部を有する、請求項１に記載の映像再生装置。
【請求項３】
前記映像生成部は、前記対象フレームの左視用映像と前記対象フレームの次フレームの左視用映像とに基づいて前記フレーム間映像を生成するか、前記対象フレームの右視用映像と前記対象フレームの次フレームの右視用映像とに基づいて前記フレーム間映像を生成するか、または前記対象フレームの左視用映像および右視用映像と前記対象フレームの次フレームの左視用映像および右視用映像とに基づいて前記フレーム間映像を生成する、請求項２に記載の映像再生装置。
【発明の詳細な説明】
【技術分野】
【０００１】
本発明は、映像再生装置に関し、特に、三次元映像を再生可能な映像再生装置に関する。
【背景技術】
【０００２】
下記特許文献１には、両眼に液晶シャッタを備える専用の眼鏡をユーザが着用することによって、表示画面上で三次元映像を視聴可能な映像表示装置が開示されている。当該映像表示装置においては、左視用映像と右視用映像とを所定の周期で表示画面に交互に表示する。そして、液晶シャッタを制御することによって、左視用映像の表示タイミングに同期して眼鏡の左眼を透光状態、右眼を遮光状態とし、右視用映像の表示タイミングに同期して眼鏡の右眼を透光状態、左眼を遮光状態とすることにより、表示画面に三次元映像を表示する。
【先行技術文献】
【特許文献】
【０００３】
【特許文献１】特許第３２７３０７４号公報
【発明の概要】
【発明が解決しようとする課題】
【０００４】
野球やサッカーのようなスポーツ番組の三次元映像を視聴する場合において、得点シーン等の重要なシーンを巻き戻してリプレイする際に、滑らかな映像によって当該シーンを明瞭に視聴したいというユーザの要望がある。
【０００５】
本発明はかかる事情に鑑みて成されたものであり、三次元映像を再生可能な映像再生装置において、簡易な処理によって所望のシーンを滑らかに再生することが可能な映像再生装置を得ることを目的とするものである。
【課題を解決するための手段】
【０００６】
本発明の第１の態様に係る映像再生装置は、左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、前記表示画面における映像の再生を制御する映像制御部と、フレームレートの変更を受け付けるフレームレート変更部と、を備え、前記フレームレート変更部によってフレームレートの変更が受け付けられた場合、前記映像制御部は、左視用映像及び右視用映像のうち一方の対象フレームの映像に代えて、前記対象フレームとその次フレームとの間のフレーム間映像を表示することを特徴とするものである。
【０００７】
第１の態様に係る映像再生装置によれば、フレームレート変更部によってフレームレートの変更が受け付けられた場合、映像制御部は、左視用映像及び右視用映像のうち一方の対象フレームの映像に代えて、対象フレームとその次フレームとの間のフレーム間映像を表示する。これによりユーザは、フレーム間映像が挿入された高フレームレートの滑らかな映像を視聴することができる。従ってユーザは、三次元映像を視聴しつつも、所望のシーンにおいてはフレームレートを変更することにより、当該シーンの滑らかな映像を視聴することが可能となる。
【０００８】
本発明の第２の態様に係る映像再生装置は、第１の態様に係る映像再生装置において特に、前記映像制御部は、前記フレーム間映像を生成する映像生成部を有することを特徴とするものである。
【０００９】
第２の態様に係る映像再生装置によれば、フレーム間映像は、映像制御部が有する映像生成部によって生成される。従って、フレーム間映像を含む高フレームレートの映像信号をサーバから映像再生装置に送信する必要がないため、当該映像信号の送信に伴うサーバ及び通信ネットワークの処理負荷及び通信負荷を軽減することが可能となる。
【００１０】
本発明の第３の態様に係る映像再生装置は、第２の態様に係る映像再生装置において特に、前記映像生成部は、左視用映像及び右視用映像の少なくともいずれかの前記対象フレームの映像と、左視用映像及び右視用映像の少なくともいずれかの前記次フレームの映像とに基づいて、前記フレーム間映像を生成することを特徴とするものである。
【００１１】
第３の態様に係る映像再生装置によれば、映像生成部は、左視用映像及び右視用映像の少なくともいずれかの前記対象フレームの映像と、左視用映像及び右視用映像の少なくともいずれかの前記次フレームの映像とに基づいて、前記フレーム間映像を生成する。従って例えば、対象フレームの左視用映像と次フレームの左視用映像とに基づいてフレーム間映像を生成し、当該フレーム間映像を、対象フレームの左視用映像と次フレームの左視用映像との間に挿入する場合には、ユーザは、二次元映像ではあるが高フレームレートの滑らかな映像を視聴することが可能となる。また例えば、対象フレームの右視用映像と次フレームの右視用映像とに基づいてフレーム間映像を生成し、当該フレーム間映像を、対象フレームの左視用映像と次フレームの左視用映像との間に挿入する場合には、ユーザは、高フレームレートの滑らかな映像を視聴することが可能になるとともに、左視用映像と右視用映像とが交互に表示されるため、静止映像やフレーム間での動きが小さい映像を、三次元映像として視聴することが可能となる。
【発明の効果】
【００１２】
本発明によれば、三次元映像を再生可能な映像再生装置において、簡易な処理によって所望のシーンを滑らかに再生することが可能となる。
【図面の簡単な説明】
【００１３】
【図１】本発明の実施の形態に係る映像配信システムの全体構成を示す図である。
【図２】ＳＴＢの構成を簡略化して示すブロック図である。
【図３】テレビにおいて三次元映像のコンテンツをノーマル再生（モードＸ）する場合のＳＴＢの処理を示す図である。
【図４】テレビにおいて三次元映像のコンテンツを高フレームレート再生（モードＹ）する場合のＳＴＢの処理を示す図である。
【図５】モードＹにおいて映像再生の一時停止を行う場合のＳＴＢの処理を示す図である。
【図６】テレビにおいて三次元映像のコンテンツを高フレームレート再生（モードＺ）する場合のＳＴＢの処理を示す図である。
【図７】モードＺにおいて映像再生の一時停止を行う場合のＳＴＢの処理を示す図である。
【発明を実施するための形態】
【００１４】
以下、本発明の実施の形態について、図面を用いて詳細に説明する。なお、異なる図面において同一の符号を付した要素は、同一又は相応する要素を示すものとする。
【００１５】
図１は、本発明の実施の形態に係る映像配信システム１の全体構成を示す図である。図１に示すように映像配信システム１は、映像配信装置としてのサーバ２と、当該サーバ２とＩＰ（Internet Protocol）ネットワーク等の通信ネットワーク３を介して接続される、映像再生装置としてのＳＴＢ（Set Top Box）４と、液晶表示装置等のテレビ５と、ハードディスク等の記憶部６と、三次元映像を視聴するためにユーザが着用する眼鏡７とを備えて構成されている。眼鏡７は、左眼８Ｌ及び右眼８Ｒを有している。なお、記憶部６はＳＴＢ４に内蔵されていてもよい。また、ＳＴＢ４の機能がテレビ５に内蔵されていてもよい。
【００１６】
サーバ２は、通信ネットワーク３を介してＳＴＢ４にコンテンツの映像信号を送信する。ＳＴＢ４は、受信した映像信号に対してデコード等の処理を行って、当該処理後の映像信号を記憶部６に記憶する。また、ＳＴＢ４は、記憶部６から読み出した映像信号をテレビ５に送信することにより、テレビ５において映像を再生する。ＳＴＢ４は、テレビ５において二次元映像を再生可能であるとともに、三次元映像を再生することも可能である。三次元映像を視聴する場合には、ユーザは眼鏡７を着用することができる。
【００１７】
図２は、ＳＴＢ４の構成を簡略化して示すブロック図である。図２の接続関係で示すように、ＳＴＢ４は、命令受信部１１、フレームレート変更部１２、映像制御部１３、映像送信部１４、眼鏡制御部１５、及び制御信号送信部１６を備えて構成されている。映像制御部１３は、映像生成部１７を有している。
【００１８】
図３は、テレビ５において三次元映像のコンテンツをノーマル再生（高フレームレート再生ではない通常の再生。以下「モードＸ」とも称す）する場合のＳＴＢ４の処理を示す図である。図２を参照して、命令受信部１１は、ノーマル再生を指定する命令信号Ｓ１を、例えばリモコン（図示しない）から受信する。命令受信部１１は、受信した命令信号Ｓ１をフレームレート変更部１２に入力する。これにより、フレームレート変更部１２は、モードＸでの映像再生を受け付ける。フレームレート変更部１２は、ノーマル再生を指定する制御信号Ｓ２を映像制御部１３に入力することにより、表示モードをモードＸに設定する。
【００１９】
モードＸに設定された映像制御部１３は、上記コンテンツの映像信号Ｓ３を記憶部６から読み出して映像送信部１４に入力する。映像送信部１４は、入力された映像信号Ｓ３をテレビ５に向けて送信する。三次元映像のノーマル再生を行う場合には、人間の両眼視差を反映した左視用映像と右視用映像とが所定の周期（例えば１／６０秒周期。但し、左視用映像及び右視用映像の二つの映像で三次元映像の一つのフレームを構成するため、フレームレートは半分の１／３０秒周期）で交互に表示される。図３に示した例では、第０フレームの左視用映像Ｆ０Ｌ、第０フレームの右視用映像Ｆ０Ｒ、第１フレームの左視用映像Ｆ１Ｌ、第１フレームの右視用映像Ｆ１Ｒ、第２フレームの左視用映像Ｆ２Ｌ、第２フレームの右視用映像Ｆ２Ｒ、第３フレームの左視用映像Ｆ３Ｌ、第３フレームの右視用映像Ｆ３Ｒ、・・・が、この順にテレビ５の表示画面に表示される。
【００２０】
眼鏡制御部１５は、眼鏡７の左眼８Ｌ及び右眼８Ｒの各々に組み込まれた液晶シャッタを制御するための制御信号Ｓ４を、制御信号送信部１６に入力する。制御信号送信部１６は、制御信号Ｓ４を眼鏡７に向けて無線送信する。図３に示すように、三次元映像のノーマル再生を行う場合には、各フレームの左視用映像Ｆ０Ｌ，Ｆ１Ｌ，Ｆ２Ｌ，Ｆ３Ｌ，・・・をテレビ５に表示するタイミングに同期して、眼鏡７の左眼８Ｌが透光状態（ＯＮ）、右眼８Ｒが遮光状態（ＯＦＦ）とされ、各フレームの右視用映像Ｆ０Ｒ，Ｆ１Ｒ，Ｆ２Ｒ，Ｆ３Ｒ，・・・をテレビ５に表示するタイミングに同期して、眼鏡７の右眼８Ｒが透光状態（ＯＮ）、左眼８Ｌが遮光状態（ＯＦＦ）とされる。
【００２１】
図４は、テレビ５において三次元映像のコンテンツを高フレームレート再生（以下「モードＹ」とも称す）する場合のＳＴＢ４の処理を示す図である。図２を参照して、命令受信部１１は、高フレームレート再生を指定する命令信号Ｓ１を、例えばリモコン（図示しない）から受信する。命令受信部１１は、受信した命令信号Ｓ１をフレームレート変更部１２に入力する。これにより、フレームレート変更部１２は、モードＹでの映像再生を受け付ける。フレームレート変更部１２は、高フレームレート再生を指定する制御信号Ｓ２を映像制御部１３に入力することにより、表示モードをモードＹに設定する。
【００２２】
モードＹに設定された映像制御部１３は、上記コンテンツの映像信号Ｓ３のうち、左視用映像及び右視用映像の一方（この例では左視用映像）の映像信号Ｓ３を記憶部６から読み出す。そして、映像生成部１７は、連続する二つのフレームを補間して中間映像（フレーム間映像）を作成し、当該中間映像を当該二つのフレーム間に挿入することにより、モードＹ用の映像信号Ｓ３を生成して映像送信部１４に入力する。映像送信部１４は、入力された映像信号Ｓ３をテレビ５に向けて送信する。図４に示した例では、第０フレームの左視用映像Ｆ０Ｌ、中間映像ＦＡＬ、第１フレームの左視用映像Ｆ１Ｌ、中間映像ＦＢＬ、第２フレームの左視用映像Ｆ２Ｌ、中間映像ＦＣＬ、第３フレームの左視用映像Ｆ３Ｌ、中間映像ＦＤＬ、第４フレームの左視用映像Ｆ４Ｌ、・・・が、この順にテレビ５の表示画面に表示される。この例の場合、モードＹ用の映像信号Ｓ３のフレームレートは、モードＸの２倍の１／６０秒周期となる。
【００２３】
中間映像ＦＡＬは、第０フレームの左視用映像Ｆ０Ｌと第１フレームの左視用映像Ｆ１Ｌとを補間することによって作成される。中間映像ＦＢＬは、第１フレームの左視用映像Ｆ１Ｌと第２フレームの左視用映像Ｆ２Ｌとを補間することによって作成される。中間映像ＦＣＬは、第２フレームの左視用映像Ｆ２Ｌと第３フレームの左視用映像Ｆ３Ｌとを補間することによって作成される。中間映像ＦＤＬは、第３フレームの左視用映像Ｆ３Ｌと第４フレームの左視用映像Ｆ４Ｌとを補間することによって作成される。なお、映像生成部１７が中間映像を作成する代わりに、中間映像を含む高フレームレートの映像信号をサーバ２からＳＴＢ４に送信してもよい。
【００２４】
つまり、例えば第０フレームが対象フレームである場合には、映像制御部１３は、第０フレームの右視用映像Ｆ０Ｒに代えて、第０フレームの左視用映像Ｆ０Ｌとその次の第１フレームの左視用映像Ｆ１Ｌとの間のフレーム間映像（中間映像ＦＡＬ）をテレビ５に表示する。また例えば第２フレームが対象フレームである場合には、映像制御部１３は、第２フレームの右視用映像Ｆ２Ｒに代えて、第２フレームの左視用映像Ｆ２Ｌとその次の第３フレームの左視用映像Ｆ３Ｌとの間のフレーム間映像（中間映像ＦＣＬ）をテレビ５に表示する。
【００２５】
眼鏡制御部１５は、眼鏡７の左眼８Ｌ及び右眼８Ｒの各々に組み込まれた液晶シャッタを制御するための制御信号Ｓ４を、制御信号送信部１６に入力する。制御信号送信部１６は、制御信号Ｓ４を眼鏡７に向けて無線送信する。図４に示すように、モードＹの高フレームレート再生を行う場合には、各フレームの左視用映像Ｆ０Ｌ，Ｆ１Ｌ，Ｆ２Ｌ，Ｆ３Ｌ，Ｆ４Ｌ，・・・をテレビ５に表示するタイミングに同期して、眼鏡７の左眼８Ｌが透光状態（ＯＮ）、右眼８Ｒが遮光状態（ＯＦＦ）とされ、中間映像ＦＡＬ，ＦＢＬ，ＦＣＬ，ＦＤＬ，・・・をテレビ５に表示するタイミングに同期して、眼鏡７の右眼８Ｒが透光状態（ＯＮ）、左眼８Ｌが遮光状態（ＯＦＦ）とされる。なお、モードＹの高フレームレート再生を行う場合には二次元映像が表示されるため、スイッチングを行わずに全期間において眼鏡７の両眼を透光状態としてもよい。
【００２６】
図５は、モードＹにおいて映像再生の一時停止を行う場合のＳＴＢ４の処理を示す図である。図２を参照して、命令受信部１１は、映像再生の一時停止を指定する命令信号Ｓ１を、例えばリモコン（図示しない）から受信する。命令受信部１１は、受信した命令信号Ｓ１をフレームレート変更部１２に入力する。これにより、フレームレート変更部１２は、映像再生の一時停止を受け付ける。フレームレート変更部１２は、映像再生の一時停止を指定する制御信号Ｓ２を、映像制御部１３に入力する。
【００２７】
映像制御部１３は、制御信号Ｓ２が入力された時点で映像送信部１４に最後に入力したフレームを特定し、当該フレームの映像信号Ｓ３をその後も継続して映像送信部１４に入力する。映像送信部１４は、入力された映像信号Ｓ３をテレビ５に向けて送信する。図５に示した例では、第２フレームの左視用映像Ｆ２Ｌがテレビ５に表示された時刻Ｔ１に映像再生の一時停止が指定されており、時刻Ｔ１以降は左視用映像Ｆ２Ｌが継続してテレビ５の表示画面に表示される。つまり、映像再生の一時停止を行う場合には、左視用映像及び右視用映像の一方の停止フレームの映像（この例では左視用映像）が、三次元映像の再生時に他方のフレーム（この例では右視用映像）を表示するタイミングでも表示画面に表示される。
【００２８】
図６は、テレビ５において三次元映像のコンテンツを高フレームレート再生（以下「モードＺ」とも称す）する場合のＳＴＢ４の処理を示す図である。図２を参照して、命令受信部１１は、高フレームレート再生を指定する命令信号Ｓ１を、例えばリモコン（図示しない）から受信する。命令受信部１１は、受信した命令信号Ｓ１をフレームレート変更部１２に入力する。これにより、フレームレート変更部１２は、モードＺでの映像再生を受け付ける。フレームレート変更部１２は、高フレームレート再生を指定する制御信号Ｓ２を映像制御部１３に入力することにより、表示モードをモードＺに設定する。
【００２９】
モードＺに設定された映像制御部１３は、上記コンテンツの映像信号Ｓ３（左視用映像及び右視用映像）を記憶部６から読み出す。そして、映像生成部１７は、連続する二つのフレームを補間して中間映像（フレーム間映像）を作成し、当該中間映像を当該二つのフレーム間に挿入することにより、モードＺ用の映像信号Ｓ３を生成して映像送信部１４に入力する。映像送信部１４は、入力された映像信号Ｓ３をテレビ５に向けて送信する。図６に示した例では、第０フレームの左視用映像Ｆ０Ｌ、中間映像ＦＡＲ、第１フレームの左視用映像Ｆ１Ｌ、中間映像ＦＢＲ、第２フレームの左視用映像Ｆ２Ｌ、中間映像ＦＣＲ、第３フレームの左視用映像Ｆ３Ｌ、中間映像ＦＤＲ、第４フレームの左視用映像Ｆ４Ｌ、・・・が、この順にテレビ５の表示画面に表示される。この例の場合、モードＺ用の映像信号Ｓ３のフレームレートは、モードＸの２倍の１／６０秒周期となる。
【００３０】
中間映像ＦＡＲは、第０フレームの右視用映像Ｆ０Ｒと第１フレームの右視用映像Ｆ１Ｒとを補間することによって作成される。中間映像ＦＢＲは、第１フレームの右視用映像Ｆ１Ｒと第２フレームの右視用映像Ｆ２Ｒとを補間することによって作成される。中間映像ＦＣＲは、第２フレームの右視用映像Ｆ２Ｒと第３フレームの右視用映像Ｆ３Ｒとを補間することによって作成される。中間映像ＦＤＲは、第３フレームの右視用映像Ｆ３Ｒと第４フレームの右視用映像Ｆ４Ｒとを補間することによって作成される。なお、映像制御部１３が中間映像を作成する代わりに、中間映像を含む高フレームレートの映像信号をサーバ２からＳＴＢ４に送信してもよい。
【００３１】
つまり、例えば第０フレームが対象フレームである場合には、映像制御部１３は、第０フレームの右視用映像Ｆ０Ｒに代えて、第０フレームの右視用映像Ｆ０Ｒとその次の第１フレームの右視用映像Ｆ１Ｒとの間のフレーム間映像（中間映像ＦＡＲ）をテレビ５に表示する。また例えば第２フレームが対象フレームである場合には、映像制御部１３は、第２フレームの右視用映像Ｆ２Ｒに代えて、第２フレームの右視用映像Ｆ２Ｒとその次の第３フレームの右視用映像Ｆ３Ｒとの間のフレーム間映像（中間映像ＦＣＲ）をテレビ５に表示する。
【００３２】
眼鏡制御部１５は、眼鏡７の左眼８Ｌ及び右眼８Ｒの各々に組み込まれた液晶シャッタを制御するための制御信号Ｓ４を、制御信号送信部１６に入力する。制御信号送信部１６は、制御信号Ｓ４を眼鏡７に向けて無線送信する。図６に示すように、モードＺの高フレームレート再生を行う場合には、各フレームの左視用映像Ｆ０Ｌ，Ｆ１Ｌ，Ｆ２Ｌ，Ｆ３Ｌ，Ｆ４Ｌ，・・・をテレビ５に表示するタイミングに同期して、眼鏡７の左眼８Ｌが透光状態（ＯＮ）、右眼８Ｒが遮光状態（ＯＦＦ）とされ、中間映像ＦＡＲ，ＦＢＲ，ＦＣＲ，ＦＤＲ，・・・をテレビ５に表示するタイミングに同期して、眼鏡７の右眼８Ｒが透光状態（ＯＮ）、左眼８Ｌが遮光状態（ＯＦＦ）とされる。
【００３３】
図７は、モードＺにおいて映像再生の一時停止を行う場合のＳＴＢ４の処理を示す図である。図２を参照して、命令受信部１１は、映像再生の一時停止を指定する命令信号Ｓ１を、例えばリモコン（図示しない）から受信する。命令受信部１１は、受信した命令信号Ｓ１をフレームレート変更部１２に入力する。これにより、フレームレート変更部１２は、映像再生の一時停止を受け付ける。フレームレート変更部１２は、映像再生の一時停止を指定する制御信号Ｓ２を、映像制御部１３に入力する。
【００３４】
映像制御部１３は、制御信号Ｓ２が入力された時点で映像送信部１４に最後に入力したフレームを特定し、当該フレームの映像信号Ｓ３をその後も継続して映像送信部１４に入力する。映像送信部１４は、入力された映像信号Ｓ３をテレビ５に向けて送信する。図７に示した例では、中間映像ＦＣＲがテレビ５に表示された時刻Ｔ２に映像再生の一時停止が指定されており、時刻Ｔ２以降は中間映像ＦＣＲが継続してテレビ５の表示画面に表示される。つまり、映像再生の一時停止を行う場合には、左視用映像及び右視用映像の一方の停止フレームの映像（この例では右視用映像の中間映像）が、三次元映像の再生時に他方のフレーム（この例では左視用映像）を表示するタイミングでも表示画面に表示される。
【００３５】
なお、以上の説明では、対象フレームと次フレームとの間にフレーム間映像を一つのみ挿入する例について述べたが、二つ以上のフレーム間映像を挿入することによって、さらなる高フレームレート化を図ってもよい。また、図４に示した例では、対象フレームの左視用映像と次フレームの左視用映像とに基づいてフレーム間映像が作成され、図６に示した例では、対象フレームの右視用映像と次フレームの右視用映像とに基づいてフレーム間映像が作成されたが、この例に限らず、対象フレームの左視用映像及び右視用映像と次フレームの左視用映像及び右視用映像とに基づいてフレーム間映像を作成してもよい。
【００３６】
このように本実施の形態に係るＳＴＢ４によれば、フレームレート変更部１２によってフレームレートの変更が受け付けられた場合、映像制御部１３は、左視用映像及び右視用映像のうち一方の対象フレームの映像に代えて、対象フレームとその次フレームとの間のフレーム間映像をテレビ５に表示する。これによりユーザは、フレーム間映像が挿入された高フレームレートの滑らかな映像を視聴することができる。従ってユーザは、三次元映像を視聴しつつも、所望のシーンにおいてはフレームレートを変更することにより、当該シーンの滑らかな映像を視聴することが可能となる。
【００３７】
また、本実施の形態に係るＳＴＢ４によれば、フレーム間映像は、映像制御部１３が有する映像生成部１７によって生成される。従って、フレーム間映像を含む高フレームレートの映像信号をサーバ２からＳＴＢ４に送信する必要がないため、当該映像信号の送信に伴うサーバ２及び通信ネットワーク３の処理負荷及び通信負荷を軽減することが可能となる。
【００３８】
また、本実施の形態に係るＳＴＢ４によれば、映像生成部１７は、左視用映像及び右視用映像の少なくともいずれかの対象フレームの映像と、左視用映像及び右視用映像の少なくともいずれかの次フレームの映像とに基づいて、フレーム間映像を生成する。従って例えば、対象フレームの左視用映像と次フレームの左視用映像とに基づいてフレーム間映像を生成し、当該フレーム間映像を、対象フレームの左視用映像と次フレームの左視用映像との間に挿入する場合（図４）には、ユーザは、二次元映像ではあるが高フレームレートの滑らかな映像を視聴することが可能となる。また例えば、対象フレームの右視用映像と次フレームの右視用映像とに基づいてフレーム間映像を生成し、当該フレーム間映像を、対象フレームの左視用映像と次フレームの左視用映像との間に挿入する場合（図６）には、ユーザは、高フレームレートの滑らかな映像を視聴することが可能になるとともに、左視用映像と右視用映像とが交互に表示されるため、静止映像やフレーム間での動きが小さい映像を、三次元映像として視聴することが可能となる。
【００３９】
また、本実施の形態に係るＳＴＢ４は、高フレームレートのまま早送り再生等を行う場合、フレーム間映像を生成しなくてもよい。ＳＴＢ４は、図４に示した例で、フレームＦ０Ｌ，ＦＡＬ，Ｆ１Ｌ，ＦＢＬ，・・・の順に再生するところ、高フレームレートのまま早送り再生を行う場合にフレーム間映像を生成せず、フレームＦ０Ｌ，Ｆ１Ｌ，Ｆ２Ｌ，Ｆ３Ｌ，・・・の順にＳＴＢ４が再生するようにしてもよい。これによって、高フレームレートの２倍速再生をＳＴＢ４は行うこととなる。高フレームレートの２倍速再生を行うのに、フレーム間映像を生成せず、フレームＦ０Ｌ，Ｆ１Ｒ，Ｆ２Ｌ，Ｆ３Ｒ，・・・の順にＳＴＢ４が再生するようにしてもよい。
【００４０】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４１】
４  ＳＴＢ
５  テレビ
７  眼鏡
８Ｌ  左眼
８Ｒ  右眼
１２  フレームレート変更部
１３  映像制御部
１７  映像生成部
【図１】
0005335022.tif 000002
【図２】
0005335022.tif 000003
【図３】
0005335022.tif 000004
【図４】
0005335022.tif 000005
【図５】
0005335022.tif 000006
【図６】
0005335022.tif 000007
【図７】
0005335022.tif 000008